(57)【要約】【課題】基板を設けたシールドケースにケーブルを貫通した場合でも、部品点数を増加させず、衝撃を吸収し易く、かつ、防水効果を有する車両用ブースタ装置を提供する。【解決手段】ベースカバー１２の内周には、防水機能を実現するために防水ゴム製のシール部材２０を設け、シール部材２０の内側に基板ケース２１に取り付けられたアンプ基板２２が納められている。ベースカバー１２とカバー１１に接触するシール部材２０には、全周にわたる凸形状のリップ部を設けることにより密着性を高め、アンプ基板２２には、シール部材２０の側面に設けられた挿通口を通じて入力ケーブル１３、出力ケーブル１４及び電源ケーブル１５が接続されている。【選択図】図２
2010219972.tif 000002
【特許請求の範囲】
【請求項１】
アンテナで受信された信号を増幅して出力する車両用ブースタ装置において、
ベースカバーの縁部に組み込まれたシール部材と、
シール部材の内側に配置され、ベースカバーに固定された基板ケースと、
基板ケースに組み込まれると共に、導電性の基板ケースにＧＮＤ接続されたアンプ基板と、
シール部材を覆うようにアンプ基板を密封するカバーと、
ベースカバーとカバーとの間を密封するシール部材の側面に設けられた挿通口を通じて外部から内部のアンプ基板に接続されるケーブルと、
を有し、
シール部材の厚みはケーブルの直径より、より厚くしたことを特徴とする車両用ブースタ装置。
【請求項２】
請求項１に記載の車両用ブースタ装置において、
衝突時の衝撃を吸収させるため、アンテナに接続された車両用ブースタ装置をボデーとバンパーとの間に配置したことを特徴とする車両用ブースタ装置。
【発明の詳細な説明】
【技術分野】
【０００１】
本発明に係る車両用ブースタ装置は、アンテナで受信した信号を増幅してチューナ等に出力する車両用のブースタ装置に関する。
【背景技術】
【０００２】
従来より、自動車等の車両にはラジオやテレビ番組を視聴するためにアンテナが取り付けられている。このアンテナは、車両が走行中であっても一定の受信感度を得ることが要求されることから車外取り付け型のアンテナが主流である。しかし、車外取り付け型のアンテナでは、車両のデザインを損ねる場合があるという外観上の問題から車両のリアガラスやフロントガラスに貼り付けられるフィルム状のアンテナや、スポイラー又はバンパー内部に配置したアンテナ等が望まれる場合がある。
【０００３】
雨水が浸入するバンパー内部にアンテナを配置した場合には、車室に開けた孔に止水機能を有するグロメットを設け、グロメットを通してケーブルを車室内まで引き込み、車室内に設けたアンプやチューナに接続する必要がある。さらに、弱・中電界域でも一定の受信感度を得ると共に電磁ノイズの混入を防ぐため、アンテナからアンプやチューナに接続するケーブルの長さを短くし、アンテナを２個設けてダイバーシチアンテナとするなどの配慮が必要であった。
【０００４】
しかし、アンテナからアンプに伸びるケーブルの長さを短くすることは、ケーブル引き回しの制限となり、車両への搭載性が悪くなる。そこで、ケーブルの長さに関する制約を緩和するため、アンテナで受信した信号を増幅するブースタ装置をアンテナ近傍に配置することがある。
【０００５】
無線周波数帯を扱う電子回路では、安定した作動を実現するため、振動や外部からの電磁ノイズに対して遮蔽効果を有する筐体に収容する必要がある。さらに、雨中で使用する場合には防水性又は止水性が必要であることから、上記ブースタ装置を収容する筐体は防水筐体が望ましい。
【先行技術文献】
【特許文献】
【０００６】
【特許文献１】特開平０２−２７６２９６号公報
【発明の概要】
【発明が解決しようとする課題】
【０００７】
防水筐体としては、特許文献１に示されるような筐体があり、ケース本体と蓋との間に防水ゴムを挟むことによりケース内を防水しているが、ケーブルを挿入する部分には別の防水構造を施さなければ防水構造とならず、部品点数の増加となっていた。また、近年の車両安全性の向上のため、バンパー内部に搭載する機器も衝撃を吸収する構造を有することが望まれている。
【０００８】
そこで、本発明では、基板を設けたシールドケースにケーブルを貫通した場合でも、部品点数を増加させず、衝撃を吸収し易く、かつ、防水効果を有する車両用ブースタ装置を提供することを目的とする。
【課題を解決するための手段】
【０００９】
以上のような目的を達成するために、本発明に係る車両用ブースタ装置は、アンテナで受信された信号を増幅して出力する車両用ブースタ装置において、ベースカバーの縁部に組み込まれたシール部材と、シール部材の内側に配置され、ベースカバーに固定された基板ケースと、基板ケースに組み込まれると共に、導電性の基板ケースにＧＮＤ接続されたアンプ基板と、シール部材を覆うようにアンプ基板を密封するカバーと、ベースカバーとカバーとの間を密封するシール部材の側面に設けられた挿通口を通じて外部から内部のアンプ基板に接続されるケーブルと、を有し、シール部材の厚みはケーブルの直径より、より厚くしたことを特徴とする。
【００１０】
また、本発明に係る車両用ブースタ装置において、衝突時の衝撃を吸収させるため、アンテナに接続された車両用ブースタ装置をボデーとバンパーとの間に配置したことを特徴とする。
【発明の効果】
【００１１】
本発明に係る車両用ブースタ装置によると、基板を設けたシールドケースにケーブルを貫通した場合でも、部品点数を増加させず、衝撃を吸収し易く、かつ、防水効果を発揮することができるという効果がある。
【図面の簡単な説明】
【００１２】
【図１】本発明の実施形態に係る車両用ブースタ装置の外観を示す斜視図である。
【図２】本発明の実施形態に係る車両用ブースタ装置のカバーを外した状態を示す斜視図である。
【図３】本実施形態の車両用ブースタ装置の組み立て方法を説明する説明図である。
【図４】本実施形態の車両用ブースタ装置の正面図である。
【図５】本実施形態の車両用ブースタ装置のＡ−Ａ断面を示す断面図である。
【図６】本実施形態の車両用ブースタ装置のＢ−Ｂ断面を示す断面図である。
【発明を実施するための形態】
【００１３】
以下、本発明を実施するための最良の形態（以下実施形態という）を、図面に従って説明する。
【００１４】
図１は車両用ブースタ装置１の外観を示している。車両用ブースタ装置１は、例えば、バンパー内部に取り付けられたアンテナからの信号を増幅して、車室内のチューナ等に出力するものであり、雨水が浸入するバンパー内部に装着されるため、防水機能を有している。
【００１５】
図１の車両用ブースタ装置１は、車体に固定されるベースカバー１２と、ベースカバー１２を覆うカバー１１と、アンテナが受信した信号が入力される入力ケーブル１３と、アンプ基板により増幅された信号を出力する出力ケーブル１４と、アンプ基板に電源を供給する電源ケーブル１５と、を有している。なお、カバー１１の中央部にはアンプ基板を収容するために、膨らみが設けられている。また、車両用ブースタ装置１は、アンテナが受信した信号を増幅して出力することにより車両への搭載を容易とするため、ケーブル長を延長可能とすると共に、配線の取り回しを考慮して入力ケーブル１３と出力ケーブル１４は直線状に配置されている。
【００１６】
図２は車両用ブースタ装置１のカバーを外した状態を示している。ベースカバー１２の内周には、防水機能を実現するために防水ゴム製のシール部材２０を設け、シール部材２０の内側に基板ケース２１に取り付けられたアンプ基板２２が納められている。ベースカバー１２とカバー１１に接触するシール部材２０には、全周にわたる凸形状のリップ部を設けることにより密着性を高め、ベースカバー１２と図示しないカバーでシール部材を挟むことにより、アンプ基板２２への雨水の浸入を防いでいる。
【００１７】
アンプ基板２２には、シール部材２０の側面に設けられた挿通口を通じて入力ケーブル１３、出力ケーブル１４及び電源ケーブル１５が接続されている。ベースカバー１２には、入力ケーブル１３と出力ケーブル１４及び電源ケーブル１５とを固定するアーム１９が設けられ、ケーブルは結束バンド１８によりアーム１９に固定されている。本実施形態で特徴的な事項の一つは、ケーブルがシール部材より外側でベースカバー１２に固定されているため、挿通口には変形が発生せず、雨水の浸入を防ぐことができることである。
【００１８】
基板ケース２１にはアンプ基板２２のＧＮＤとフレームＧＮＤを接続するためのＧＮＤ接合部（ａ〜ｃ）が対ノイズ性を高めるために設けられ、図示しない車両取り付けブラケットは、車両用ブースタ装置１を車両に固定すると共に、ボデーとアンプ基板２２とを電気的に接続し、ＧＮＤ性能を確保している。
【００１９】
図３は車両用ブースタ装置の組み立て方法を示している。最初に、アンプ基板２２に設けられた半田クリップ２３のそれぞれに入力ケーブル１３，出力ケーブル１４及び電源ケーブル１５を半田付けにより固定し、ケーブルをシール部材２０の挿通口に通して挿通口の防水を行う。次に、シール部材をベースカバー１２にはめ込むと共に、アンプ基板２２を基板ケースにはめ込み、基板ケースのＧＮＤ接合部により電気的に接続する。
【００２０】
図４は車両用ブースタ装置１の正面図である。外周部に補強の為のリブと中央部に膨らみとを設けたカバー１１は、２個の止め金具１７によって位置決めされ、４本のネジ１６によってベースカバー１２に固定されると共に、入力ケーブル１３と出力ケーブル１４及び電源ケーブル１５とは結束バンド１８によりアーム１９にそれぞれ固定されている。また、図４には、入力ケーブル１３と出力ケーブル１４とを通る長手方向のＡ−Ａと、長手方向に直交して２本のネジ１６とを通る横方向のＢ−Ｂと、を示している。
【００２１】
図５は車両用ブースタ装置１のＡ−Ａ断面を示し、図６は車両用ブースタ装置のＢ−Ｂ断面を示している。図５において、アンテナから受信した信号は入力ケーブル１３より入力され、アンプ基板２２で増幅された信号が出力ケーブル１４から図示しないチューナへ出力される。入力ケーブル１３と出力ケーブル１４及び電源ケーブルは、ベースカバー１２のアーム１９に結束バンド１８でそれぞれ固定され、さらに、アンプ基板２２の半田クリップ２３で固定され、シール部材の挿通口の変形を防いでいる。図６において、カバー１１の中央部には膨らみが設けられてアンプ基板２２を収納すると共に、ベースカバー１２に設けられた基板ケース２１にアンプ基板が保持されると共にＧＮＤ接続されている。さらに、ベースカバー１２とカバー１１はネジ１６により固定されていると共に、ＧＮＤ接続されている。
【００２２】
本実施形態における車両用ブースタ装置１のその他の特徴的な事項は、衝突の際に、バンパーとボデーのわずかな空間で車両用ブースタ装置のカバーとベースカバーが塑性変形すると共にシール部材が緩衝材として機能するように、弾性材で成形されたシール材の縁部を肉厚にしたことである。具体的には、車両の衝突時に図５の上方向から荷重が加わった場合、カバー１１の膨らみ部が変形すると共に、結束バンド１８に加わった荷重によりアーム１９が変形し、さらに、弾性素材であるシール部材２０が緩やかに荷重を吸収することで、バンパー単体による荷重吸収と、ダイバシチ構成により設けられた２つの車両用ブースタ装置と、による荷重吸収が行われる。
【００２３】
なお、本実施形態に係る車両用ブースタ装置において、ベースカバーは外側に伸びるアームを有し、アームは、シール部材の側面に設けられた挿通口を通るケーブルを、挿通口より外側で保持している。
【００２４】
以上、上述したように、本実施形態に係る車両用ブースタ装置によると、基板を設けたシールドケースにケーブルを貫通した場合でも、部品点数を増加させず、衝撃を吸収し易く、かつ、防水効果を発揮することが可能である。また、本実施形態に限らず、アンプ基板と基板ケースとベースカバーとを電気的に接続した後に、シール部材の代わりに弾性のある樹脂によりベースカバー内側をモールディングしてもよいことはいうまでもない。
【産業上の利用可能性】
【００２５】
本発明に係る車両用ブースタ装置は、アンテナで受信した信号を増幅してチューナ等に出力するブースタ装置として利用することが可能である。
【符号の説明】
【００２６】
１  車両用ブースタ装置、１１  カバー、１２  ベースカバー、１３  入力ケーブル、１４  出力ケーブル、１５  電源ケーブル、１６  ネジ、１７  止め金具、１８  結束バンド、１９  アーム、２０  シール部材、２１  基板ケース、２２  アンプ基板、２３  半田クリップ。
【図１】
2010219972.tif 000003
【図２】
2010219972.tif 000004
【図３】
2010219972.tif 000005
【図４】
2010219972.tif 000006
【図５】
2010219972.tif 000007
【図６】
2010219972.tif 000008